(57)【要約】【課題】ＴＤＳの手法を利用して化粧剤の使用中の使用感の変化を適正に官能評価することができる化粧剤評価方法を提供する。【解決手段】塗布開始からの経過時間に応じて物理的な特性が変化する化粧剤を評価者が左手Ｌの甲に右手Ｒの指で塗布している間に、化粧剤が塗布されている手の甲と化粧剤を手の甲に塗布する手指との間で評価者Ｐにより触覚的に知得される感触評価情報を時系列に取得する取得工程により化粧剤を評価する。【選択図】図１
2020169830.tif 000002
【特許請求の範囲】
【請求項１】
塗布開始からの経過時間に応じて物理的な特性が変化する化粧剤を評価者が塗布している間に、前記化粧剤が塗布されている被塗布面と前記化粧剤を前記被塗布面に塗布する塗布面との間で前記評価者により触覚的に知得される感触評価情報を時系列に取得する取得工程を含む、化粧剤評価方法。
【請求項２】
前記取得工程は、前記評価者の視線または評価者が発した音声により前記感触評価情報を取得する、請求項１に記載の化粧剤評価方法。
【請求項３】
前記感触評価情報が前記化粧剤を塗布する複数の評価者により作成され、前記感触評価情報は、複数の前記評価者間で予め設定された複数の文言の中から選択される、請求項２に記載の化粧剤評価方法。
【請求項４】
前記塗布面が前記評価者の手指の表面であり、前記被塗布面が前記評価者の前記手指以外の皮膚の表面である、請求項１から３のいずれか一項に記載の化粧剤評価方法。
【請求項５】
前記感触評価情報は、前記取得工程において前記評価者が最も印象を強く感じている感触を示す、請求項１から４のいずれか一項に記載の化粧剤評価方法。
【請求項６】
前記取得工程により取得された前記感触評価情報を解析し、出力する出力工程をさらに含む、請求項１から５のいずれか一項に記載の化粧剤評価方法。
【請求項７】
塗布開始からの経過時間に応じて物理的な特性が変化する化粧剤を評価者が塗布している間に、前記化粧剤が塗布されている被塗布面と前記化粧剤を前記被塗布面に塗布する塗布面との間で前記評価者により触覚的に知得される感触評価情報を時系列に取得する取得部を含む、化粧剤の評価装置。
【請求項８】
少なくとも化粧剤の塗布に伴う感触の時間に伴う変化を設定する化粧剤仕様設定工程と、製品の候補となる化粧剤の感触評価情報を時系列に取得する感触変化評価工程と、前記感触評価情報に基づいて化粧剤の配合を決定する化粧剤仕様決定工程と、前記化粧剤仕様決定工程によって決定した化粧剤の配合に基づき、化粧剤を製造する化粧剤製造工程と、を含み、
前記感触変化評価工程が、請求項１から６のいずれか一項に記載の化粧剤評価方法によって行われる、化粧剤の製造方法。
【発明の詳細な説明】
【技術分野】
【０００１】
本発明は、化粧剤が使用者に与える感触を評価する化粧剤評価方法及び化粧剤評価装置に関する。
【背景技術】
【０００２】
化粧剤に関する研究の分野において、化粧剤の使用感を評価することがなされている。化粧剤の使用感を評価する公知の手法は、例えば、特許文献１に記載されている。特許文献１に記載の化粧効果の評価方法は、化粧剤の「使用時」、「使用後」、「使用翌朝」の三つのタイミングでそれぞれ化粧剤の使用感を評価している。
一方、飲食品の官能評価分野では近年、飲食品を摂取中の味や香りの変化を評価するために、非特許文献１に記載のTemporal Dominance of Sensations法（以下ＴＤＳ）が用いられている。
【先行技術文献】
【特許文献】
【０００３】
【特許文献１】特開２０１１−３８９５９号公報
【非特許文献】
【０００４】
【非特許文献１】Pineau, N., Schlich, P., Cordelle, S., Mathonniere, C., Issanchou, S., Imbert, A, ... & Koster, E. (2009). Temporal dominance of sensations: Construction of the TDS curves and comparison with time intensity. Food Quality and Preference, 20, 450-455.
【発明の概要】
【発明が解決しようとする課題】
【０００５】
ところで、化粧剤には、界面活性剤を含むものも多い。界面活性剤は、本来馴染まない異なる物質の界面に作用し、化粧剤に含まれている成分同士を馴染ませることができる剤である。界面活性剤は、液体同士の界面、固体表面と液体の界面のいずれにも作用することができる。界面活性剤を含む化粧剤は、肌に塗布した直後から塗布の完了までの間にその成分比等が変化して使用感が変化する。化粧剤の開発の現場では、使用感の変化を評価することが要求されているが、前述の特許文献１に記載の化粧効果の評価方法は、塗布中の使用感の変化を評価することはできない。
本発明は、上記の点に鑑みてなされたものであり、ＴＤＳの手法を利用して化粧剤の使用中の使用感の変化を適正に官能評価することができる化粧剤評価方法、及び化粧剤評価装置に関する。
【課題を解決するための手段】
【０００６】
本発明は、塗布開始からの経過時間に応じて物理的な特性が変化する化粧剤を評価者が塗布している間に、前記化粧剤が塗布されている被塗布面と前記化粧剤を前記被塗布面に塗布する塗布面との間で前記評価者により触覚的に知得される感触評価情報を時系列に取得する取得工程を含む化粧剤評価方法に関する。
【発明の効果】
【０００７】
本発明の化粧剤評価方法及び化粧剤評価装置は、ＴＤＳの手法を利用して化粧剤の使用中の使用感の変化を適正に官能評価することができる。
【図面の簡単な説明】
【０００８】
【図１】本発明の一実施形態の感触評価情報の取得工程を説明するための図である。
【図２】本実施形態の化粧剤評価装置の感触評価情報を取得する際に使用される画面を例示する図である。
【図３】化粧剤評価装置を説明するための機能ブロック図である。
【図４】（ａ）は化粧剤Ｃ、（ｂ）は化粧剤Ｄ、（ｃ）は化粧剤Ｅ、（ｄ）は化粧剤Ｆを、ＴＤＳにより評価した結果を示すグラフである。
【図５】（ａ）は評価者が視線の動きにより選択した感触評価情報をアイトラッカー装置で取得した結果を示している。（ｂ）は評価者が発話により選択した感触評価情報をＩＣレコーダーで取得した結果を示している。（ｃ）は、評価者が非利き手の手指でＰＣのタッチパネルを操作することにより感触評価情報を選択した場合の結果を示している。
【発明を実施するための形態】
【０００９】
以下、本発明の実施形態を図面に基づいて説明する。なお、すべての図面において、同様の構成要素には同様の符号を付し、重複する説明は適宜省略する。また、本実施形態は、本発明の一実施形態を例示して本発明の技術思想を説明するものであって、本発明は実施形態及び実施形態中に示す図面に限定されるものではない。
【００１０】
［概要］
先ず、本実施形態の化粧剤評価方法及び化粧剤評価装置の概要を説明する。
本実施形態は、化粧剤の塗布の開始から終了までの間の使用感の変化を官能評価するものである。ここでいう塗布の開始とは、人（以下、「評価者」と記す）が化粧剤を被塗布面に接触させた時点をいい、塗布とは評価者が塗布面を被塗布面に接触させつつ被塗布面を移動させることで、被塗布面上に製剤を伸ばす、典型的には往復運動や円運動を繰り返す動作をいう。塗布の終了は、このような動作を評価者が終了した時点をいう。本実施形態では、被塗布面を評価者自身の皮膚表面とする。また、塗布面を評価者自身の手指の表面とする。被塗布面となる皮膚表面は、例えば、評価者の手指が届く箇所であればどのような部位の表面であってもよい。
ただし、被塗布面は評価者の皮膚表面に限定されるものでなく、例えば、評価者以外の他者の皮膚であってもよい。さらに、本実施形態は、化粧剤本来の目的の他、模擬的に化粧剤を塗布して評価することがある。このような場合、被塗布面は皮膚以外の例えば皮革や合成皮革、板材及び樹脂、ガラス基板等であってもよい。また、塗布面は、評価者の手指に限定されず、筆、刷毛の他、布やパフ、さらにはスポンジ等であってもよい。
また、被塗布面を評価者の皮膚表面とし、塗布面を評価者以外の者の皮膚表面あるいは皮膚以外とすることもできる。
【００１１】
本実施形態の化粧剤の評価は、被塗布面と塗布面との間で評価者により触覚的に知得される感触評価情報により行われる。ここで、「触覚的に知得される」とは、手指や筆等の塗布面が被塗布面に接触して移動する際に評価者が手で感じる感触や温感、さらには温度の変化によって生じる清涼感などによって得られるものをいう。本実施形態の感触評価情報は、これらを表現する情報であればどのようなものであってもよい。
【００１２】
さらに、ここでいう化粧剤は、皮膚の状態を良好にするために使用される化粧水等の基礎化粧品、サンスクリーン剤、皮膚の色味や質感を変化させるメーク剤やファンデーション、さらには皮膚を洗浄するボディシャンプーが含まれる。また、本実施形態でいう化粧剤は、皮膚に使用されるものの他、頭髪を洗浄するためのシャンプー、頭髪や頭皮を好ましい状態にするためのリンス、トリートメント、コンディショナー及びヘアクリーム、ヘアマスク、さらには整髪料を含むものとする。
【００１３】
さらに、本実施形態の化粧剤評価方法または化粧剤評価装置により評価される化粧剤としては、塗布開始からの経過時間に応じて感触が変化するものであればどのような化粧剤であってもよい。化粧剤の感触を変化させる物質的特性には、化粧剤の粘弾性、油系や水系の部剤の成分比等により異なるが、特に、複数の異なる材料を含む化粧剤には、界面活性剤が用いられている場合があり、本実施形態の化粧剤評価方法及び化粧剤評価装置は、界面活性剤を含む化粧剤の評価に好適である。
【００１４】
図１、図２及び図３は、本実施形態の化粧剤評価方法及び化粧剤評価装置を説明するための図である。このうち、図１は、本実施形態の感触評価情報の取得工程を説明するための図である。図２は、化粧剤評価装置の感触評価情報を取得する際に使用される画面を例示する図である。図３は、化粧剤評価装置を説明するための機能ブロック図である。
本実施形態の化粧剤評価方法は、塗布開始からの経過時間に応じて物理的な特性が変化する化粧剤を評価者が塗布している間に、化粧剤が塗布されている被塗布面と化粧剤を被塗布面に塗布する塗布面との間で評価者により触覚的に知得される感触評価情報を時系列に取得する取得工程を含んでいる。
【００１５】
図１に示すように、本実施形態では、塗布面を評価者Ｐの手指の表面とし、手指の表面を評価者Ｐの利き手の手指とする。図１に示す例では利き手を右手Ｒとする。また、本実施形態では、被塗布面を評価者Ｐの手指以外の皮膚の表面とし、この皮膚の表面を左手Ｌの手の甲の表面とする。評価者Ｐは、左手Ｌの甲に化粧剤を採り、右手Ｒの指により塗布している。塗布を行う動作（以下、「塗布動作」と記す）は、例えば左手Ｌの甲の化粧剤がある表面に右手Ｒの指を当て、繰り返し円を描くように化粧剤を伸ばすことによって行われる。塗布終了のタイミングは、評価者Ｐにより任意に判断されるものであってもよいし、予め定められた時間が塗布の開始から経過したことによって定められるものであってもよい。
【００１６】
本実施形態は、極性物質と非極性物質を均一に混合させる界面活性剤を含んで乳化した化粧剤を評価している。親水性の材料と親油性の材料が混合している化粧剤は、塗布動作によってその浸透性を有する一部が皮膚の少なくとも角質に浸透して左手Ｌの甲の表面における量が減少する。また、化粧剤のうち揮発性の成分は塗布動作開始の後に蒸発して左手Ｌの表面における量が減少する。さらに、化粧剤は、左手Ｌの甲において塗布範囲が広がることによって左手Ｌの表面における単位面積辺りの分量が減少する。このような現象により、化粧剤は、塗布動作開始以降に左手Ｌの甲の上で材料の成分比が変化する。成分比の変化は、蒸発または浸透により低減した材料の成分比が小さくなり、非蒸発性、非浸透性の材料の成分比が大きくなるように生じる。化粧剤に含まれる材料の成分比が変化すると、化粧剤の粘弾性や熱（温度）等の物理的な特性が変化して評価者Ｐが右手Ｒの指で感じる左手Ｌの甲の感触が変化する。
【００１７】
なお、本実施形態は、被塗布面を手の甲に限定するものではなく、被塗布面は、例えば顔や腕等の他の部位であってもよい。被塗布面を手の甲とし、塗布面をこの手と反対の手指とすると、評価者Ｐは比較的楽な姿勢で化粧剤の感触評価を行うことができる。
【００１８】
本実施形態は、上記塗布動作を行いながら、評価者Ｐが経時的に変化する手指の感触を示す感触評価情報を出力する。右手Ｒと左手Ｌの両方を使って化粧剤の塗布動作を行う本実施形態は、手指を使わずに行う手法により感触評価情報を出力することが好ましい。このことから、本実施形態は、取得工程を評価者Ｐの視線により感触評価情報を取得するものとした。視線による感触評価情報の取得は、例えば、予め複数の感触評価情報選択肢を表示しておき、評価者Ｐが表示されている感触評価情報のいずれを見たか判定することによって実現可能である。このような手法については後述する。
ただし、本実施形態は、視線により感触評価情報を取得することに限定されず、評価者Ｐが発した音声により感触評価情報を取得するものであってもよい。さらに、本実施形態は、手指を使わずに予め感触評価情報と対応付けられているペダル等を足で踏み、感触評価情報を指定してもよい。
【００１９】
また、本実施形態では、化粧剤評価装置を、汎用的なパーソナルコンピュータ（Personal Computer  以下「ＰＣ」と記す）１１、ＰＣ１１に接続されたディスプレイ１２及びアイトラッカー装置１３により構成している。ＰＣ１１は、取得工程を実現するプログラムにより動作し、化粧剤を評価者Ｐが塗布している間に、左手Ｌの甲と右手Ｒの指との間で評価者Ｐにより知得される感触評価情報を時系列に取得する取得部として機能する。なお、ＰＣ１１及びディスプレイ１２は、取得された感触評価情報を解析し、出力する出力部としても機能する。
【００２０】
図２に示すように、ディスプレイ１２は、化粧剤の感触を評価する複数の単語が感触評価情報選択肢として表示されている。図２の例では、ディスプレイ１２には「滑る」、「なめらか」、「密着感」、「油っぽい」、「粉っぽい」及び「浸透感」の６個の感触評価情報選択肢と共に、「該当なし」を合わせた７個の文言が表示されている。感触評価情報選択肢の数は、評価者の負荷軽減のために、上限を１０語程度とすることが望ましい。感触評価情報選択肢が示す感触は、評価対象となる剤に合わせて事前に決定される。感触評価情報選択肢は、評価対象となる化粧剤の塗布動作中に出現し得る感触を過不足なく含んでいることが望ましい。
また、本実施形態は、感触評価情報選択肢の提示位置によって、評価者Ｐにとっての選択のし易さのバイアスがかかる影響をなくすため、評価者Ｐごと、あるいは評価回ごとに感触評価情報選択肢の表示位置をランダムに変更するようにしてもよい。
【００２１】
また、本実施形態では、評価に先立って予め評価者Ｐに手の甲と指との間で触覚的に知得される感触と感触評価情報選択肢の意味するところを対応付けておくためのトレーニングを行うことが好ましい。トレーニングは、例えば、基準となる化粧剤を本実施形態と同様に塗布し、このときに得られる感触に上記感触評価情報選択肢のいずれかを対応付けることによって行うことができる。
【００２２】
また、本実施形態は、感触の評価の表現の個人差によるばらつきを低減するため、複数の評価者Ｐにより化粧剤を評価することがある。つまり、本実施形態は、感触評価情報が化粧剤を塗布する複数の評価者Ｐにより作成される場合、この感触評価情報は、複数の評価者Ｐ間で予め設定された複数の文言の中から選択されるようにしてもよい。このようにするためには、複数の評価者Ｐの間で実際に得られた感触を共有し、感触評価情報と対応付けて複数の評価者Ｐ間で一つの感触を同じ感触評価情報選択肢に対応付けることが好ましい。
ここで、文言とは、文字により表現される単語または短文であって、言語の種別を問題にしない。また、単語は、名詞、形容詞、副詞、擬態語等のいずれであってもよい。さらに、本実施形態は、感触評価情報を文言とすることに限定されるものでなく、予め定められた図画、記号、アイコン等であってもよい。
【００２３】
評価者Ｐは、取得工程である塗布動作を行いながら、複数の感触評価情報の中から現時点で最も印象として強く感じている感触を示す感触評価情報選択肢へ視線を向ける。このような本実施形態では、左手Ｌの甲と右手Ｒの指との間の感触が変化することによって評価者Ｐが感じる最も印象の強い感触が変化する。感触が変化すると、評価者Ｐは変化後の最も印象を強く感じる感触評価情報選択肢に視線を移動させる。
上記の動作において、評価者Ｐは、その時に感じている感触の強度に必ずしも基づく必要はなく、新たに感じた感触または最も印象の強い感触と対応する感触評価情報選択肢を選択して視線を向けるようにする。評価者Ｐは、以上の手続きを、評価者Ｐにより任意に判断された塗布終了のタイミング、あるいは予め決定されている評価時間が終了するまで繰り返す。
【００２４】
アイトラッカー装置１３は、図１に示すように、ディスプレイ１２の下枠部分に取り付けられて、角膜反射法により評価者Ｐの視線を検出し、評価者Ｐが見ているディスプレイ１２の位置を判定する装置である。アイトラッカー装置１３は、近赤外線ＬＥＤ（Light Emitting Diode）、アイトラックカメラ及びこれらを制御する制御部により構成されている（いずれも図示せず）。近赤外線ＬＥＤは、評価者Ｐの目の角膜上に光の反射点を生じさせ、アイトラックカメラにより撮影する。制御部は、撮影された画像から、角膜上の光の反射点と瞳孔を識別し、例えば撮影３Ｄアイモデルのアルゴリズムによって光の反射点やその他の幾何学的特徴に基づいて眼球の方向を算出する。算出された方向は、ＰＣ１１に入力される。
【００２５】
図３に示すように、ＰＣ１１は、眼球運動入力部３１、注視判定部３３、注視領域判定部３５、感触評価情報収集部３７、Ｄｏｍｉｎａｎｃｅ  Ｒａｔｅ出力部３９及びデータ表示処理部３２を有している。このような各構成は、ＰＣ１１が有する既存のＣＰＵ（Central Processing Unit）やメモリと、メモリに保存されているプログラムとが共同して実現するものである。ＣＰＵは、メモリから読み出したプログラムを実行することにより、眼球運動入力部３１、注視判定部３３、注視領域判定部３５、感触評価情報収集部３７、Ｄｏｍｉｎａｎｃｅ  Ｒａｔｅ出力部３９及びデータ表示処理部３２として機能する。
眼球運動入力部３１は、アイトラッカー装置１３によって算出された眼球の方向を順次入力する。注視判定部３３は、入力された眼球の方向の変化の間隔、眼球の方向が変化しない時間等により評価者Ｐがディスプレイ１２上の一つの領域を注視しているのか、または選択すべき領域を探して視線を移動させているのかを判定する。なお、ここでいう領域は、ディスプレイ１２に表示されている感触評価情報の各々に一対一に対応して設定されている。つまり、注視判定部３３は、評価者Ｐの眼球が領域の一つに予め設定されている閾値以上の時間向いている場合、評価者Ｐがこの領域に注視していると判定する。
【００２６】
注視判定部３３の判定の結果は、感触評価情報収集部３７に送られる。感触評価情報収集部３７は、注視判定部３３の判定結果を受け取った順番で時系列に保存する。Ｄｏｍｉｎａｎｃｅ  Ｒａｔｅ出力部３９は、複数の評価者Ｐが特定の感触評価情報を選択した回数をカウントし、カウント値を集計して総数に対する割合をＤｏｍｉｎａｎｃｅ  Ｒａｔｅとする。各感触評価情報が選択されているタイミングとＤｏｍｉｎａｎｃｅ  Ｒａｔｅは、その対応関係と共にデータ表示処理部３２に送られる。
【００２７】
また、本実施形態は、上記の取得工程により取得された感触評価情報を解析し、出力する出力工程をさらに含んでいる。ここで、解析とは、例えば、取得された感触評価情報を他の情報により整理し、整理後の感触評価情報に係る因子を対象にして演算処理を行うことをいう。本実施形態の解析は、感触評価情報をタイミング（取得時刻）によりグループ化し、グループ化された感触評価情報のうちの同じものの取得回数を加算することによって行われている。
【００２８】
前述のように、本実施形態は、感触評価情報を時系列に取得している。ここで、本実施形態は、判定結果を時系列に表示するものに限定されるものではないが、判定結果を時系列に表示することが好ましい。
【００２９】
さらに、本実施形態では、塗布動作の過程で物理量を測定し、以上説明した官能評価の結果と比較するようにすることも考えられる。物理量の測定は、例えば、慣性センサ（加速度、角速度）を使って塗布動作を行っている手指の動きや評価者Ｐの姿勢を計測することによって行うものであってもよい。そして、手指の動き等を時系列に測定された感触評価情報と比較するものであってもよい。また、測定される物理量としては、例えば、以下のものが考えられる。
振動センサによって測定される指の振動。
力覚センサによって測定される指や手の甲にかかる応力やモーメント（力覚特性）
温度センサによって測定される手の甲等の被塗布面、指等の塗布面、さらには観測者の体温
化粧剤のコンダクタンス等の電気的特性（塗布中に変化する化粧剤の水分あるいは油分）
評価者の生体反応指標（自律神経活動、脳波、塗布中の呼吸、心拍、皮膚電気反応等）
深度カメラ、モーションキャプチャ、ビデオカメラ等により撮影される評価者の身体の動き、姿勢や表情
音声マイクにより測定される塗布動作中に生じる音
【実施例】
【００３０】
次に、以上説明した本実施形態の実施例を説明する。
図４（ａ）から図４（ｄ）は、本実施形態の一実施例を説明するための図である。図４（ａ）から図４（ｄ）は、いずれも剤型がＷ／ＯまたはＯ／Ｗの乳化した化粧剤をＴＤＳにより評価した結果を示していて、評価は、官能評価に馴れている七名の評価者により各化粧剤について三回行われている。図４（ａ）から図４（ｄ）の縦軸は各時点で選択された感触評価情報の全体に対する割合（Dominance rate）を示し、横軸は評価者全員が塗布し終えたと判断した時間を１として規格化された時間を示している。図４（ａ）は化粧剤Ｃ、図４（ｂ）は化粧剤Ｄ、図４（ｃ）は化粧剤Ｅ、図４（ｄ）は化粧剤Ｆを評価した結果を示すグラフである。Ｄｏｍｉｎａｎｃｅ  Ｒａｔｅの有意性を判断する指標として、感触評価情報選択肢の全体数に対して偶然に一つが選ばれるＣｈａｎｃｅ  ｌｅｖｅｌ及び、各時点でＣｈａｎｃｅ  ｌｅｖｅｌを有意に上回る最小の割合として、正規分布に基づく二項確率の信頼区間で計算したＳｉｇｎｉｆｉｃａｎｔ  ｌｅｖｅｌ（有意水準５％）をそれぞれ算出している。この評価では、感触評価情報選択肢として乳化剤を対象として感じられる感触として、「滑る」「なめらか」「密着感」「油っぽい」「粉っぽい」「浸透感」の６個に「該当なし」を加えた７個を選定している。なお、化粧剤の処方担当者の間で共有されている各化粧剤の使用感として、化粧剤Ｃについては、「油っぽさを終始感じながら、塗布初期ではなめらかな滑りとやや弱い密着感を感じる。塗布中期になると徐々に密着感が増していき、その印象が強いまま塗布が終了する。」特徴が、化粧剤Ｄについては、「塗布初期ではなめらかな滑りを感じ、続いて浸透感を感じる。その後強い密着感と共に塗布が終了する。」特徴が、化粧剤Ｅについては、「塗布初期では強い滑りを感じ、その後ややなめらかさを感じる。塗布中期以降では、強い油っぽさと共に滑りを感じ、粉っぽさが徐々に増していき、塗布が終了する。」特徴が、そして化粧剤Ｆについては、「塗布初期では滑りを強く感じ、続いて剤のなめらかさを感じる。塗布中期では油っぽさを少し感じ、後半にかけて強い密着感と共に弱い粉感を感じて塗布が終了する。」特徴があるとされている。
【００３１】
（評価条件）
評価者は、化粧剤１００μｌを非利き手の甲部分に利き手の親指を除く四本の指で円を描くようにして塗布動作を行った。評価環境は、温度２４度、湿度４０％程度に統制された室内である。本実施例では、評価開始時点を化粧剤が滴下された手の甲に、評価者の利き手の指が触れた時点とし、終了時点を評価者が塗布した化粧剤が肌になじみ終わったと口頭による報告をした時点とした。評価者は、利き手の指で化粧剤を非利き手の甲に塗り広げながら手の甲や手の指の感触を前述の７個の感触評価情報選択肢から選択する。
本実施例では、選択の結果をアイトラッカー装置（製品名：Tobii Pro TX300（トビーテクノロジー社製）により出力する。アイトラッカー装置は、図１に示すように感触評価情報を表示したディスプレイ１２の画面の下方に取り付けられて、評価者Ｐの視線の向きを検出し、検出結果を図３に示すＰＣ１１に送っている。ＰＣ１１は、検出結果からディスプレイ１２に表示されている感触評価情報を選択する。そして、選択された感触評価情報を集計し、操作者の要求に応じて図４（ａ）から図４（ｄ）に示すグラフを描画してディスプレイ１２に表示する。
【００３２】
図４（ａ）によれば、化粧剤Ｃは塗布初期になめらかさを感じた後は、密着感が塗布終了時まで続くような使い心地であることが分かる。図４（ｂ）によれば、化粧剤Ｄは塗布初期になめらかさを感じた後、塗布中盤時点で油っぽさがやや優位になった後、浸透感と同時に塗布終了時まで密着感が感じられていた剤であることが分かる。図４（ｃ）によれば、化粧剤Ｅは塗布初期に滑り易さと共になめらかさを感じた後は、塗布中盤で油っぽさとなめらかさを感じ、塗布終了時まで油っぽさが優位に感じられる剤であることが分かる。図４（ｄ）によれば、化粧剤Ｆは塗布初期に滑りが感じられた後はなめらかさが優位になり、中盤に密着感や油っぽさが感じられた後、後半は密着感が続く剤であることが分かる。
以上の実施例により、本発明の化粧剤評価方法は、化粧剤の使用後の印象に因らず、使用中の使用感（感触）をリアルタイムで判定することができる。
【００３３】
次に、感触評価情報の選択方法によるＴＤＳの結果の相違について説明する。図５（ａ）、図５（ｂ）及び図５（ｃ）は、各々同じ化粧剤を先に説明した実施例と同様の条件で非利き手の甲に塗布した感触をＴＤＳにより評価した結果を示している。図５（ａ）、図５（ｂ）及び図５（ｃ）の縦軸は各時点で選択された感触評価情報の全体に対する割合（Dominance rate:％）を示し、横軸は塗布時間（秒）を示している。図５（ａ）は、上記実施例と同様にアイトラッカー装置により感触評価情報を選択した結果を示している。図５（ｂ）は、評価者が発話した音声をＩＣレコーダー（製品名：ICD-UX543F（ソニー社製））を用いて取得した結果を示している。ＩＣレコーダーは、感触評価情報選択肢を表示しているディスプレイ１２の下部に取り付けられている。評価者は、ディスプレイ１２に表示されている感触評価情報選択肢から選択して発話することにより、手指でタッチパネルに触れることなく手指等の感触をＰＣ１１に入力することができる。図５（ｃ）は、非利き手の手指によりＰＣ１１を操作してディスプレイ１２に表示されている感触評価情報を選択した場合の結果を示している。このような実施例では、ＰＣ１１にタッチパネル式タブレットパソコン（製品名：TransBook T304UA（ASUS社製））を採用し、評価者がディスプレイ１２に手指で触ることにより感触評価情報を入力する。
【００３４】
図５（ａ）から図５（ｃ）によれば、図５（ｂ）のグラフにおいて評価者により塗布が完了したと判断されるまでの時間が他のグラフより長いことが分かる。本発明者らは、この理由を、感触を認識して発話までにかかる時間が他の方法により感触情報を入力するまでにかかる時間より長いためであると考察した。また、図５（ａ）と図５（ｂ）とを比較すると、図５（ａ）では油っぽさに代わって粉感が出現するタイミングが明瞭であるのに、図５（ｂ）では油っぽさから粉感への変化を評価者が追いきれないことが分かる。さらに、図５（ｃ）によれば、化粧剤の特徴である油性感の出現のタイミングが遅延することが分かる。本発明の発明者らは、この理由をタッチパネルの操作にかかる負荷によるものと考察した。さらに、タッチパネルの操作により感触評価情報を選択する例は、塗布しながら化粧剤の変化を他の方法より長時間目視するため、視覚的な影響により純粋に化粧剤の感触だけを評価することが困難である。
以上のことから、目視による感触評価情報の選択は、手指等に感じる感触をリアルタイムで出力し、また、感触に集中することができる点で本発明の感触評価情報にとって好ましいものといえる。
【００３５】
また、以上説明した本実施形態は、例えば、望ましい化粧剤の評価の結果から化粧剤の仕様を決定し、化粧剤を製造するものであってもよい。このような化粧剤の製造方法は、少なくとも化粧剤の塗布に伴う感触の時間に伴う変化を設定する化粧剤仕様設定工程と、製品の候補となる化粧剤の感触評価情報を時系列に取得する感触変化評価工程と、感触評価情報に基づいて化粧剤の配合を決定する化粧剤仕様決定工程と、化粧剤仕様決定工程によって決定した化粧剤の配合に基づき、化粧剤を製造する化粧剤製造工程と、を含む。本実施形態の感触変化評価工程には、上記化粧剤評価方法を使用することができる。
【００３６】
すなわち、上記化粧剤の製造方法では、化粧剤仕様設定工程において、予め目標とする化粧剤の塗布に伴う感触の時間に伴う変化を設定する。目標とする化粧剤の塗布に伴う感触の時間に伴う変化は、例えば、「塗布開始時にはするするとし、塗布していく間に油っぽさが出現し、塗布開始から５０秒以内に化粧剤が肌に馴染んだと感じられる」のように設定される。次に、感触変化評価工程においては、設定された感触の時間に伴う変化が得られると考えられる化粧剤の候補を本実施形態の化粧剤の評価装置により評価して、その感触評価情報が時系列に取得される。次に、化粧剤仕様決定工程においては、取得された感触評価情報から、設定された感触の時間変化に伴う変化と最も近い化粧剤を候補のうちから選択する。化粧剤製造工程においては、選択された化粧剤の配合に基づいて化粧剤が製造される。このような化粧剤の製造方法によれば、化粧剤を使用したときの目標とする感触に沿う化粧剤の配合を比較的簡易に決定し、化粧剤を製造することができる。
なお、このような化粧剤の製造方法は、少なくとも化粧剤の塗布に伴う感触の時間に伴う変化を設定するものであれば良く、適宜他の条件を目標として設定するものであってもよい。他の条件としては、例えば、特定の成分の含有率の上限値及び下限値であってもよいし、化粧剤を一定の期間使用した場合に得られる効果等であってもよい。
【符号の説明】
【００３７】
１１・・・ＰＣ
１２・・・ディスプレイ
１３・・・アイトラッカー装置
３１・・・眼球運動入力部
３２・・・データ表示処理部
３３・・・注視判定部
３５・・・注視領域判定部
３７・・・感触評価情報収集部
３９・・・Ｄｏｍｉｎａｎｃｅ  Ｒａｔｅ出力部
【図１】
2020169830.tif 000003
【図２】
2020169830.tif 000004
【図３】
2020169830.tif 000005
【図４】
2020169830.tif 000006
【図５】
2020169830.tif 000007